(57)【要約】【課題】タイアップページの制作に要する費用を算出できる費用算出装置を提供する。【解決手段】費用算出装置は、タイアップページの構成要素として使用し得る複数のコンテンツパーツのそれぞれについて、そのコンテンツパーツの設置単価と、そのコンテンツパーツを用意するための必要とされるスタッフの職種別の工数とを記憶したコンテンツパーツ関連情報記憶手段と、入力された、制作予定のタイアップページに使用するコンテンツパーツの種類及び数に基づき、前記コンテンツパーツ関連情報記憶手段に記憶されている情報、及び、各職種のスタッフの単位工数当たりの人件費を利用して、前記制作予定のタイアップページの制作に要する費用を算出して出力する費用算出手段とを備える。【選択図】図１７
2012079041.tif 000002
【特許請求の範囲】
【請求項１】
タイアップページの構成要素として使用し得る複数のコンテンツパーツのそれぞれについて、そのコンテンツパーツの設置単価と、そのコンテンツパーツを用意するための必要とされるスタッフの職種別の工数とを記憶したコンテンツパーツ関連情報記憶手段と、
入力された、制作予定のタイアップページに使用するコンテンツパーツの種類及び数に基づき、前記コンテンツパーツ関連情報記憶手段に記憶されている情報、及び、各職種のスタッフの単位工数当たりの人件費を利用して、前記制作予定のタイアップページの制作に要する費用を算出して出力する費用算出手段と
を備えることを特徴とする費用算出装置。
【請求項２】
前記費用算出手段は、
入力された、制作予定のタイアップページに使用するコンテンツパーツの種類及び数と、入力された、タイアップページを掲載する媒体の指定情報とに基づき、前記コンテンツパーツ関連情報記憶手段に記憶されている情報、各職種のスタッフの単位工数当たりの人件費、及び、前記指定情報で指定される媒体へのタイアップページの掲載料金を利用して、前記制作予定のタイアップページの制作に要する費用を算出して出力する
ことを特徴とする請求項１に記載の費用算出装置。
【請求項３】
前記費用算出手段が、
インターネットを介して接続された装置との間で情報の入出力を行う手段である
ことを特徴とする請求項１又は２に記載の費用算出装置。
【請求項４】
複数のスタッフのそれぞれについて、そのスタッフの職種を示す情報と、そのスタッフの空き時間を示す情報とを記憶したスタッフ情報記憶手段と、
入力された、タイアップページの制作期間と、前記スタッフ情報記憶手段に記憶されている情報とに基づき、前記複数のスタッフの中から前記制作期間が空き時間となっている、前記制作予定のタイアップページの制作に費用とされる各職種のスタッフを特定し、特定結果を出力するスタッフ特定手段と
をさらに備える
ことを特徴とする請求項１乃至請求項３のいずれか一項に記載の費用算出装置。
【発明の詳細な説明】
【技術分野】
【０００１】
本発明は、タイアップページの制作に要する費用を算出するための費用算出装置に関する。
【背景技術】
【０００２】
周知のように、インターネットを利用して公開されているＷｅｂページの中には、タイアップページと呼ばれる広告用のＷｅｂページが存在している。
【０００３】
このタイアップページによる広告の実施時には、タイアップページの構成自体をクライアント（広告主）が満足するものにする必要がある。そのため、タイアップページによる広告の実施時には、タイアップページの構成案／修正案をクライアントに複数回提示することにより、制作するタイアップページの構成を確定させてから、タイアップページの制作作業が開始されているのであるが、制作するタイアップページの構成を確定させるためには、当該構成のタイアップページの制作（及び運営）に要する費用をクライアントに通知する必要がある。
【０００４】
そして、現在、上記費用の算出が手作業で行われているため、見積書の提示（費用の算出）が遅れた結果として、タイアップページの実際の制作期間が圧縮されてしまう場合がある。
【先行技術文献】
【特許文献】
【０００５】
【特許文献１】特開２００２−２０３１２１号公報
【発明の概要】
【発明が解決しようとする課題】
【０００６】
そこで、本発明の課題は、タイアップページの制作に要する費用を算出できる費用算出装置を提供することにある。
【課題を解決するための手段】
【０００７】
上記課題を解決するために、本発明の費用算出装置は、タイアップページの構成要素として使用し得る複数のコンテンツパーツのそれぞれについて、そのコンテンツパーツの設置単価と、そのコンテンツパーツを用意するための必要とされるスタッフの職種別の工数とを記憶したコンテンツパーツ関連情報記憶手段と、入力された、制作予定のタイアップページに使用するコンテンツパーツの種類及び数に基づき、前記コンテンツパーツ関連情報記憶手段に記憶されている情報、及び、各職種のスタッフの単位工数当たりの人件費を利用して、前記制作予定のタイアップページの制作に要する費用を算出して出力する費用算出手段とを備える。
【０００８】
本発明の費用算出装置を実現するに際しては、費用算出手段を、入力された、制作予定のタイアップページに使用するコンテンツパーツの種類及び数と、入力された、タイアップページを掲載する媒体の指定情報とに基づき、前記コンテンツパーツ関連情報記憶手段に記憶されている情報、各職種のスタッフの単位工数当たりの人件費、及び、前記指定情報で指定される媒体へのタイアップページの掲載料金を利用して、前記制作予定のタイアップページの制作に要する費用を算出して出力する手段としておくことが出来る。
【０００９】
また、費用算出手段を、インターネットを介して接続された装置との間で情報の入出力
を行う手段としておくことも出来る。
【００１０】
さらに、本発明の費用算出装置に、複数のスタッフのそれぞれについて、そのスタッフの職種を示す情報と、そのスタッフの空き時間を示す情報とを記憶したスタッフ情報記憶手段と、入力された、タイアップページの制作期間と、前記スタッフ情報記憶手段に記憶されている情報とに基づき、前記複数のスタッフの中から前記制作期間が空き時間となっている、前記制作予定のタイアップページの制作に費用とされる各職種のスタッフを特定し、特定結果を出力するスタッフ特定手段とを付加しておくことも出来る。
【発明の効果】
【００１１】
本発明の費用算出装置を用いれば、制作するタイアップページの構成が確定しさえすれば、タイアップページの制作に要する費用を算出できる環境を実現できる。
【図面の簡単な説明】
【００１２】
【図１】本発明の一実施形態に係る費用算出装置の構成及び使用形態の説明図。
【図２】実施形態に係る費用算出装置が備える基本テンプレートＤＢの説明図。
【図３】実施形態に係る費用算出装置が備えるページ雛形作成ＤＢの説明図。
【図４】実施形態に係る費用算出装置が備えるコンテンツパーツＤＢの説明図。
【図５】実施形態に係る費用算出装置が備える広告媒体ＤＢの説明図。
【図６】実施形態に係る費用算出装置が備える企業ＤＢの説明図。
【図７】実施形態に係る費用算出装置が備える制作スタッフＤＢの説明図。
【図８】制作スタッフＤＢに含まれる制作スタッフ費用テーブルの説明図。
【図９】実施形態に係る費用算出装置がＰＣのディスプレイ上に表示する媒体決定入力画面の説明図。
【図１０】実施形態に係る費用算出装置が作成する広告掲載ＤＢの説明図。
【図１１】実施形態に係る費用算出装置がＰＣのディスプレイ上に表示する検索結果画面の説明図。
【図１２】実施形態に係る費用算出装置がデザイン画面要求受信時に実行する処理の流れ図。
【図１３】実施形態に係る費用算出装置がＰＣのディスプレイ上に表示する検索結果画面の説明図。
【図１４】実施形態に係る費用算出装置がＰＣのディスプレイ上に表示する第１デザイン決定画面の説明図。
【図１５】実施形態に係る費用算出装置がＰＣのディスプレイ上に表示する第２デザイン決定画面の説明図。
【図１６】実施形態に係る費用算出装置がＰＣのディスプレイ上に表示する第３デザイン決定画面の説明図。
【図１７】タイアップページ例生成処理により生成される各タイアップページ例の説明図。
【図１８】見積書用情報生成処理による見積書用情報の説明図。
【図１９】実施形態に係る費用算出装置がＰＣのディスプレイ上に表示する日程調整画面の説明図。
【図２０】実施形態に係る費用算出装置がＰＣのディスプレイ上に表示する検索結果画面の説明図。
【図２１】実施形態に係る費用算出装置がＰＣのディスプレイ上に表示する制作スタッフ一覧画面の説明図。
【発明を実施するための形態】
【００１３】
以下、本発明の実施の形態について、図面を参照して詳細に説明する。
【００１４】
まず、図１乃至図８を用いて、本発明の一実施形態に係る費用算出装置１０の概要を説明する。
【００１５】
本実施形態に係る支援装置１０（図１）は、クライアント（広告主）からのタイアップページの作成依頼時／クライアントへのタイアップページによる広告提案時等に、営業担当が、自身のＰＣ３０（又はクライアントから借りたＰＣ３０）内のＷｅｂブラウザを用いて利用する装置（つまり、Ｗｅｂサーバ）である。図示してあるように、タイアップページ作成支援装置１０は、基本テンプレートＤＢ１１、ページ雛形作成ＤＢ１２、コンテンツパーツＤＢ１３、広告媒体ＤＢ１４、企業ＤＢ１５及び制作スタッフＤＢ１６を備えている。
【００１６】
基本テンプレートＤＢ１１は、図２に示してあるように、全体イメージ、色使い、華やかさ、トーン、コンテンツ構成及びテンプレートＮＯからなるテンプレート情報を複数個記憶したデータベースである。
【００１７】
この基本テンプレートＤＢ１１内の各テンプレート情報中のテンプレートＮＯは、タイアップページの雛形データとしてタイアップページ作成支援装置１０内に用意されている特定の基本テンプレートの識別番号である。
【００１８】
コンテンツ構成は、対応する基本テンプレート（同じテンプレート情報中のテンプレートＮＯで識別される基本テンプレート）に使用されているコンテンツパーツ（図４参照）群を、各コンテンツパーツのコンテンツＩＤ（ａ，ｂ等）と個数との組み合わせで表した情報である。
【００１９】
全体イメージは、対応する基本テンプレートの全体的なイメージの硬さの程度を１〜１０で示す数値情報（最も硬い場合が１０：図１３等参照）である。色使いは、対応する基本テンプレートの色使いの寒暖の程度を示す値である。華やかさは、対応する基本テンプレートの華やかさの程度を１〜１０で示す数値情報である。トーンは、対応する基本テンプレートのトーン／雰囲気のまじめさの程度を１〜１０で示す数値情報である。
【００２０】
なお、この基本テンプレートＤＢ１１内及び後述する各ＤＢ内の全体イメージ、色使い、華やかさ、トーンは、いずれも、基本テンプレート／タイアップページに対して所定の解析処理を行うことにより得られた値（人間が決定した値ではない値）である。
【００２１】
ページ雛形作成ＤＢ１２は、図３に示してあるように、複数の業種名のそれぞれについて、全体イメージ基本値、色使い基本値、華やかさ基本値、トーン基本値及びページ内コンテンツ数基本値を記憶したデータベースである。ここで、全体イメージ／色使い／華やかさ／トーン基本値とは、対応する業種の企業のために過去に作成・公開したタイアップページ中の、ＣＴＲ、ＰＶ、ＵＵの偏差値が上位２０％以上の各タイアップページの全体イメージ／色使い／華やかさ／トーンの平均値（整数化した値）のことである。また、ページ内コンテンツ数基本値とは、対応する業種の企業のために過去に作成・公開したタイアップページ中の、ＣＴＲ、ＰＶ、ＵＵの偏差値が上位２０％以上の各タイアップページに使用されていたコンテンツパーツ数の平均値（整数化した値）のことである。
【００２２】
図４に示してあるように、コンテンツパーツＤＢ１３は、タイアップページの構成要素として使用し得る各コンテンツパーツ（図では、“コンテンツの種類”）について、そのコンテンツパーツのコンテンツＩＤと、そのコンテンツパーツの設置単価と、そのコンテンツパーツの運用費用と、そのコンテンツパーツの設置に必要とされる各職種のスタッフ及び各スタッフの作業量を示す情報（“工数（人日）と必要人員”）とを記憶したデータベースである。なお、この図４の“工数（人日）と必要人員”欄に示してあるＰ、Ｗ、Ｄ
、Ｃは、それぞれ、プランナー、ライター、デザイナー、カメラマンを表す情報（記号）である。また、Ｔｗｉｔｔｅｒは、アメリカ合衆国等におけるＴｗｉｔｔｅｒ社の登録商標である。
【００２３】
広告媒体ＤＢ１４は、図５に示してあるように、タイアップページを掲載可能な媒体毎に、タイアップページを掲載可能な期間（“掲載可能期間”）、対応媒体の過去の各月のＰＶ平均値、平均ＣＴＲ及び平均ＵＵ数（図５には、８月度のみを示してある）、対応媒体のサイトプロフィール（対応媒体の閲覧者の男女比、対応媒体の主要閲覧者の年齢層）、対応媒体にタイアップページをよく掲載する業種、対応媒体にタイアップページを掲載する際の基準価格（１月当たりの料金）等を記憶したデータベースである。
【００２４】
企業ＤＢ１５は、図６に示してあるように、いずれかの媒体に過去に掲載した各タイアップページについて、広告主の名称（企業名）、業種、全体イメージ、色使い、華やかさ、トーン、コンテンツ構成（使用されていたコンテンツパーツの種類及び数）、ＣＴＲ、ＰＶ等の各種実績値、及び、ＴＰＩＤを記憶したデータベースである。なお、ＴＰＩＤとは、タイアップページ作成支援装置１０が保持している，過去に公開した各タイアップページのソースデータの識別情報のことである。以下、説明の便宜上、この企業ＤＢ１５に記憶されている『全体イメージからＴＰＩＤまでの情報』のことをＴＰ情報と表記する。
【００２５】
制作スタッフＤＢ１６は、図７に示してあるように、複数の制作スタッフのそれぞれについて、氏名、職種、空き時間、過去制作物に関する各種情報（全体イメージ等）の平均値、過去の制作物実績を示す制作物実績情報（制作ページ名、日平均のＣＴＲ等からなる情報）を記憶したデータベースである。なお、この図７には、制作スタッフ毎に１つの制作物実績情報しか示していないが、制作スタッフＤＢ１６は、制作スタッフ毎に複数の制作物実績情報を記憶できるデータベースである。また、制作スタッフＤＢ１６は、図８に示した構成・内容の制作スタッフ費用テーブル（詳細は後述）を含むデータベースとなっている。
【００２６】
以上のことを前提に、以下、タイアップページ作成支援装置１０の構成、機能をさらに具体的に説明する。
【００２７】
営業担当は、クライアントとの打合せ時、ＰＣ３０内のＷｅｂブラウザを起動することにより支援装置１０にアクセスして、いわゆるログイン作業を行う。
【００２８】
ログイン作業が行われると支援装置１０は、図９に示した構成の媒体決定入力画面（Ｗｅｂページ）を、アクセスしてきた営業担当のＰＣ３０（以下、単にＰＣ３０と表記する）のディスプレイ上に表示させる処理（媒体決定入力画面用のソースデータをＰＣ３０に返送する処理；以下、同様）を行う。なお、ＰＣ３０のディスプレイ上に最初に表示される媒体決定入力画面は、各情報入力欄が空欄となっており、いずれのチェックボックスもチェックされていない状態のものである。
【００２９】
営業担当は、この媒体決定入力画面に、クライアントの名称（図９では、“ＪＫＬ”）や業種名、クライアントから聴取した情報（クライアントが希望するタイアップページの掲載期間、クライアントが広告対象と考えているターゲットの性別、年齢等）を設定してから、“媒体検索”ボタンを押下（クリック）する。
【００３０】
この操作が行われると、媒体決定入力画面を表示しているＰＣ３０（Ｗｅｂブラウザ）は、媒体決定入力画面に設定されている各情報を含む媒体検索要求を支援装置１０に対して送信する。
【００３１】
この媒体検索要求を受信した支援装置１０は、当該要求に含まれる企業名、業種名、掲載期間（クライアントが希望している掲載期間）等を把握して、把握した各情報を、処理対象企業名、処理対象業種名、処理対象掲載期間等として記憶する。
【００３２】
次いで、支援装置１０は、処理対象掲載期間の間、タイアップページを掲載可能な、そのサイトプロフィールがクライアントの希望を満たす各媒体を広告媒体ＤＢ１４（図５）から検索する処理を行う。その後、支援装置１０は、検索した各媒体の基礎価格から、処理対象掲載期間分の掲載媒体費用を求める処理、検索した各媒体の過去の８月度のＰＶ平均値から、処理対象掲載期間分の想定ＰＶを求める処理等を行うことにより、図１０に示したような内容の作業用のデータベースである広告掲載ＤＢを作成する。
【００３３】
次いで、支援装置１０は、作成した広告掲載ＤＢ内の情報を用いて、図１１に示したような検索結果画面（Ｗｅｂページ）をＷｅｂブラウザに表示させるための検索結果画面用データ（ＨＴＭＬデータ等）を作成する。そして、支援装置１０は、作成した検索結果画面用データをＰＣ３０に返送してから、受信した媒体検索要求に対する処理を終了する。
【００３４】
要するに、媒体決定入力画面（図９）上の“媒体検索”ボタンを押下すると、クライアントのタイアップページを掲載するのに適した幾つかの媒体名等の表示領域と、各媒体をタイアップページの掲載対象として選択するためのチェックボックス等を備えた検索結果画面（図１１）が表示される。
【００３５】
営業担当は、クライアントと相談の上、この検索結果画面上の幾つか（通常、複数）のチェックボックスをチェックしてから、“送信”ボタンを押下する。
【００３６】
この操作が行われると、検索結果画面（図１１）を表示しているＰＣ３０は、各チェックボックスの状態を示す情報を含むデザイン画面要求を支援装置１０に対して送信する。
【００３７】
デザイン画面要求を受信した支援装置１０は、図１２に示した手順の処理を開始して、まず、選択されなかった媒体に関する情報を広告掲載ＤＢ（図１０）から削除する（ステップＳ１０１）。
【００３８】
その後、支援装置１０は、企業ＤＢ１５から、処理対象企業名に対応づけられているＴＰ情報（以下、同広告主ＴＰ情報と表記する）を検索する処理（ステップＳ１０２）を行う。このステップＳ１０２の処理は、同広告主ＴＰ情報が１つだけ検索された場合には、その同広告主ＴＰ情報を処理対象ＴＰ情報として記憶する処理となっている。また、ステップＳ１０２の処理は、同広告主ＴＰ情報が複数個検索された場合には、各同広告主ＴＰ情報中のＣＴＲ、ＰＶ及びＵＵ値に基づき、所定のアルゴリズムにより最も広告効率が高いと判定される同広告主ＴＰ情報を特定し、特定した同広告主ＴＰ情報を処理対象ＴＰ情報として記憶する処理となっている。
【００３９】
ステップＳ１０２の処理で同広告主ＴＰ情報を検索できた場合（ステップＳ１０３；ＹＥＳ）、支援装置１０は、第１デザイン決定画面表示処理（ステップＳ１０６：詳細は後述）を行う。
【００４０】
一方、企業ＤＢ１５から同広告主ＴＰ情報を検索できなかった場合（ステップＳ１０３；ＮＯ）、支援装置１０は、企業ＤＢ１５から、処理対象業種名に対応づけられているＴＰ情報（以下、同業種ＴＰ情報と表記する）を検索する処理（ステップＳ１０４）を行う。
【００４１】
支援装置１０は、同業種ＴＰ情報を検索できた場合（ステップＳ１０５；ＹＥＳ）には
、第２デザイン決定画面表示処理（ステップＳ１０７；詳細は後述）を行う。また、支援装置１０は、同業種ＴＰ情報を検索できなかった場合（ステップＳ１０５；ＮＯ）には、第３デザイン決定画面表示処理（ステップＳ１０８；詳細は後述）を行う。
【００４２】
支援装置１０が実行する第１デザイン決定画面表示処理は、図１３に示したような構成・内容の第１デザイン決定画面をＰＣ３０のディスプレイ上に表示させる処理である。
【００４３】
この第１デザイン決定画面表示処理時、支援装置１０は、まず、処理対象ＴＰ情報中の全体イメージ値（全体イメージの値；以下、同様）、色使い値、華やかさ値、トーン値を、それぞれ、処理対象全体イメージ値、処理対象色使い値、処理対象華やかさ値、処理対象トーン値として記憶する処理を行う。また、支援装置１０は、処理対象ＴＰ情報中のコンテンツ構成の値からページ内コンテンツ数を求め、求めたページ内コンテンツ数を処理対象ページ内コンテンツ数として記憶する処理も行う。
【００４４】
次いで、支援装置１０は、処理対象ＴＰ情報中の各情報を利用して、図１３に示したような内容の第１デザイン決定画面をＷｅｂブラウザに表示させるためのデータを作成する。すなわち、支援装置１０は、その上側の部分に、処理対象ＴＰ情報中の実績値と、“過去の広告を表示”ボタンとが示され、その下側の部分に、全体イメージ等を補正するための５個のスライダコントロールと、“画面確認”ボタンと、“決定”ボタンとが示される第１デザイン決定画面（Ｗｅｂページ）をＷｅｂブラウザに表示させるためのデータを作成する。なお、支援装置１０が作成するこのデータは、それに基づく表示を行っているＷｅｂブラウザが、“決定”ボタンの押下時に、処理対象ＴＰ情報中のＴＰＩＤ（以下、注目ＴＰＩＤと表記する）を含む第１ページデザイン例画面要求を送信することになるものである。また、当該データは、それに基づく表示を行っているＷｅｂブラウザが、“画面確認”ボタンの押下時には、各スライダコントロールの設定値を含む画面確認要求を送信し、“決定”ボタンの押下時には、所定の見積書生成要求を送信することになるものともなっている。
【００４５】
そして、そのようなデータを作成した支援装置１０は、作成したデータをＰＣ３０に返送してから、第１デザイン決定画面表示処理（及び図１２の処理）を終了する。
【００４６】
支援装置１０が実行する第２デザイン決定画面表示処理は、図１４に示したような構成・内容の第２デザイン決定画面をＰＣ３０のディスプレイ上に表示させる処理である。
【００４７】
この第２デザイン決定画面表示処理時、支援装置１０は、まず、処理対象業種名に対応づけられているページ雛形作成ＤＢ１２内の全体イメージ値、色使い値、華やかさ値、トーン値を、それぞれ、処理対象全体イメージ値、処理対象色使い値、処理対象華やかさ値、処理対象トーン値として記憶する処理を行う。また、支援装置１０は、処理対象業種名に対応づけられているページ雛形作成ＤＢ１２内のコンテンツ構成の値からページ内コンテンツ数を求め、求めたページ内コンテンツ数を処理対象ページ内コンテンツ数として記憶する処理も行う。
【００４８】
次いで、支援装置１０は、図１４に示したような内容の第２デザイン決定画面をＷｅｂブラウザに表示させるためのデータを作成する。すなわち、支援装置１０は、その下側の部分の構成が第１デザイン決定画面と等しく、その上側の部分に、タイアップページによる広告実績がない旨のメッセージと、ＰＶ、ＣＴＲ、ＵＵの各目標値（上下限値）を変更するためのテキストボックスと、“同業種の広告例を表示”ボタンとが示される画面をＷｅｂブラウザに表示させるためのデータを作成する。なお、支援装置１０が作成するこのデータは、それに基づく表示を行っているＷｅｂブラウザが、“同業種の広告例を表示”ボタンの押下時に、その時点における各テキストボックスの設定値を含む含む第２ページ
デザイン例画面要求を送信することになるものである。また、当該データは、それに基づく表示を行っているＷｅｂブラウザが、“画面確認”ボタンの押下時に、各スライダコントロールの値を含む画面確認要求を送信し、“決定”ボタンの押下時に、所定の見積書生成要求を送信することになるものともなっている。
【００４９】
そして、そのようなデータを作成した支援装置１０は、作成したデータをＰＣ３０に返送してから、第２デザイン決定画面表示処理（及び図１２の処理）を終了する。
【００５０】
支援装置１０が実行する第３デザイン決定画面表示処理は、図１５に示したような構成・内容の第３デザイン決定画面をＰＣ３０のディスプレイ上に表示させる処理である。
【００５１】
この第３デザイン決定画面表示処理時、支援装置１０は、全体イメージ値、色使い値、華やかさ値、トーン値、ページ内コンテンツ数のデフォルト値として予め設定されている値を、それぞれ、処理対象全体イメージ値、処理対象色使い値、処理対象華やかさ値、処理対象トーン値、処理対象ページ内コンテンツ数として記憶する処理を行う。
【００５２】
次いで、支援装置１０は、その下側の部分の構成が第１デザイン決定画面と等しく、その上側の部分に、タイアップページによる広告実績がない旨のメッセージ等と、ＰＶ、ＣＴＲ、ＵＵの各目標値を変更するためのテキストボックスと、“異業種の広告例を表示”ボタンとが示される第３デザイン決定画面をＷｅｂブラウザに表示させるためのデータを作成する。なお、支援装置１０が作成するこのデータは、それに基づく表示を行っているＷｅｂブラウザが、“異業種の広告例を表示”ボタンの押下時に、その時点における各テキストボックスの設定値を含む含む第３ページデザイン例画面要求を送信し、“画面確認”ボタンの押下時に、各スライダコントロールの値を含む画面確認要求を送信し、“決定”ボタンの押下時に、所定の見積書生成要求を送信することになるものである。
【００５３】
そして、そのようなデータを作成した支援装置１０は、作成したデータをＰＣ３０に返送してから、第３デザイン決定画面表示処理（及び図１２の処理）を終了する。
【００５４】
以下、各デザイン決定画面上の各ボタン押下時に送信される要求に対する支援装置１０の動作を説明する。
【００５５】
支援装置１０は、第１ページデザイン例画面要求を受信した場合には、まず、当該要求に含まれる注目ＴＰＩＤで識別されるタイアップページのソースデータと、処理対象ＴＰ情報中の各情報とを収集する。そして、支援装置１０は、収集した情報群に基づき、図１６に示したような第１ページデザイン例画面をＰＣ３０に表示させてから、受信した第１ページデザイン例画面要求に対する処理を終了する。
【００５６】
支援装置１０は、第２ページデザイン例画面要求を受信した場合には、まず、企業ＤＢ１５内の，処理対象業種名と対応付けられているＴＰ情報の中から、ＰＶ、ＣＴＲ、ＵＵの値が、受信した要求中の上下限値（各テキストボックスの設定値）で規定される範囲内に入っているＴＰ情報を検索する。そして、支援装置１０は、検索したＴＰ情報中の各情報と、検索したＴＰ情報中のＴＰＩＤで識別されるタイアップページのソースデータとに基づき、第１ページデザイン例画面と同様の構成の第２ページデザイン例画面をＰＣ３０に表示させてから、受信した第２ページデザイン例画面要求に対する処理を終了する。
【００５７】
支援装置１０は、第３ページデザイン例画面要求を受信した場合には、企業ＤＢ１５内の全ＴＰ情報の中から、ＰＶ、ＣＴＲ、ＵＵの値が、受信した要求中の上下限値で規定される範囲内に入っているＴＰ情報を検索する。そして、支援装置１０は、検索したＴＰ情報中の各情報と、検索したＴＰ情報中のＴＰＩＤで識別されるタイアップページのソース
データとに基づき、第１、第２ページデザイン例画面と同様の構成の第３ページデザイン例画面をＰＣ３０に表示させてから、受信した第３ページデザイン例画面要求に対する処理を終了する。
【００５８】
支援装置１０は、画面確認要求を受信した場合には、まず、当該要求に含まれる各スライダコントロールの値分、処理対象全体イメージ値、処理対象色使い値、処理対象華やかさ値、処理対象トーン値、処理対象ページ内コンテンツ数を増減する処理を行う。次いで、支援装置１０は、値を変更した処理対象全体イメージ値、処理対象色使い値、処理対象華やかさ値、処理対象トーン値、処理対象ページ内コンテンツ数と、全体イメージ値、色使い値、華やかさ値、トーン値、ページ内コンテンツ数（コンテンツ構成の値から算出される値）が最も似ている情報（レコード）を基本テンプレートＤＢ１１から検索する。
【００５９】
そして、支援装置１０は、検索した情報中のテンプレートＮＯにて識別される基本テンプレートと、検索した情報中の他の各情報とに基づき、第１ページデザイン例画面と同様の構成のページデザイン例画面をＰＣ３０に表示させてから、受信した画面確認要求を対する処理を終了する。
【００６０】
支援装置１０は、見積書生成要求を受信した場合には、その時点における処理対象全体イメージ値、処理対象色使い値、処理対象華やかさ値、処理対象トーン値、処理対象ページ内コンテンツ数と、全体イメージ値、色使い値、華やかさ値、トーン値、ページ内コンテンツ数（コンテンツ構成の値から算出される値）が最も似ている情報を基本テンプレートＤＢ１１から検索する。
【００６１】
そして、支援装置１０は、タイアップページ例生成処理と見積書用情報生成処理とを実行する。
【００６２】
支援装置１０が実行するタイアップページ例生成処理は、基本テンプレートＤＢ１１から検索した情報中のテンプレートＮＯで識別される基本テンプレートに予め掲載媒体別に定められている内容の加工を施すことにより、広告契約ＤＢ（図１０）内に媒体名が記憶されている各媒体に掲載する場合のタイアップページ例を生成する処理である。なお、このタイアップページ例生成処理により生成される各タイアップページ例は、図１７に示したようなものである。
【００６３】
また、支援装置１０が実行する見積書用情報生成処理は、基本テンプレートＤＢ１１から検索した情報中のコンテンツ構成を有するタイアップページを、広告契約ＤＢ内に媒体名が記憶されている各媒体に掲載する場合の見積書用情報を掲載媒体別に生成する処理である。なお、見積書用情報とは、図１８に示したような見積書を印刷できる情報のことである。
【００６４】
この見積書の内容、各ＤＢに記憶されている情報の内容から、既に明らかであるとは考えるが、ここで、見積書用情報生成処理の内容を簡単に説明しておくことにする。
【００６５】
見積書用情報生成処理時、支援装置１０は、コンテンツパーツＤＢ１３を参照することにより、上記コンテンツ構成から、タイアップページに使用するコンテンツパーツ毎にその作成に必要とされる各職種のスタッフの工数（人日単位の作業量）を算出する。また、支援装置１０は、タイアップページの全コンテンツパーツの作成に必要とされる，職種別のスタッフの工数も算出する。
【００６６】
次いで、支援装置１０は、制作スタッフ費用テーブル（図８）から各職種の制作スタッフの費用を読み出し、読み出した費用と算出済みの各工数とから、各コンテンツパーツの
制作費、全コンテンツパーツの制作費、職種別のスタッフの人件費を算出する。なお、掲載開始日までの日数が所定日数（図８では、予定日数）よりも短い場合、支援装置１０は、当該日数に応じた各職種の制作スタッフについての特別費用も制作スタッフ費用テーブルから読み出す。そして、既に読み出してある費用を特別費用分増加させた後に、各料金（制作費、人件費）を算出する。
【００６７】
また、支援装置１０は、コンテンツパーツＤＢ１３を参照することにより、基本テンプレートＤＢ１１から検索した情報中のコンテンツ構成から、運用費が必要な各コンテンツパーツの運用費を算出する処理も行う。
【００６８】
そして、支援装置１０は、算出した各料金と、広告契約ＤＢ中に既に設定されている各掲載媒体の掲載媒体費用（図１０）とから、図１８に示したような見積書を印刷できる見積書用情報を掲載媒体別に生成して、見積書用情報生成処理を終了する。
【００６９】
タイアップページ例生成処理及び見積書用情報生成処理を終えた支援装置１０は、各処理により生成した情報を内部に記憶（保存）してから、それらの情報の表示、印刷が可能な画面（Ｗｅｂページ）をＰＣ３０のディスプレイ上に表示させるための処理を行う。
【００７０】
第１〜第３デザイン決定画面上の“決定”ボタンを押下した営業担当は、ＰＣ３０のディスプレイ上に表示されるこの画面を操作することにより、クライアントに各媒体に掲載した場合のタイアップページ例や契約書を提示する。
【００７１】
そして、営業担当は、タイアップページを掲載する媒体をクライアントが決定した場合等には、支援装置１０から日程調整画面の提供を受けるための作業（Ｗｅｂブラウザを操作する作業）を行う。
【００７２】
日程調整画面は、図１９に示したように、掲載期間が表示されるテキストボックス、制作期間を入力するためのテキストボックス、取材可能日（取材可能期間）の第一候補〜第三候補（以下、第１〜第３取材可能日と表記する）を入力するためのテキストボックス、“制作候補者を検索”ボタンを備えた画面（Ｗｅｂページ）である。また、この日程調整画面は、“制作候補者を検索”ボタンを押下すると、ＰＣ３０から支援装置１０に、各テキストボックスの設定値を含むスタッフ検索要求が送信されるものとなっている。
【００７３】
支援装置１０は、“制作候補者を検索”ボタンの押下により送信されるスタッフ検索要求を受信した場合には、その要求中に含まれる第１〜第３取材可能日を把握する。次いで、支援装置１０は、空き時間に各取材可能日が含まれる各職種のスタッフを制作スタッフＤＢ１６から検索する。その後、支援装置１０は、検索結果に基づき作成したデータを返送することにより、ＰＣ３０（Ｗｅｂブラウザ）に、図２０に示したような検索結果画面を表示させる。
【００７４】
支援装置１０は、この検索結果画面上の各“このスタッフにする”ボタンの押下により送信される要求を受信した場合には、制作スタッフＤＢ１６内の情報を利用して、各職種の制作スタッフが過去に作成したＷｅｂページを確認することや、各職種の制作スタッフを変更することが可能な図２１に示した構成の制作スタッフ一覧画面をＰＣ３０に表示させる。
【００７５】
そして、支援装置１０は、この制作スタッフ一覧画面上の“確定”ボタンの押下により送信される要求を受信した場合には、当該要求に含まれる情報に基づき、実際に採用することになった各職種のスタッフが誰であるかを記憶する処理や、各スタッフに取材日を通知する処理を行う。
【００７６】
以上、説明したように、本実施形態に係る支援装置１０（費用算出装置１０）は、広告効率が高いタイアップページ例や色合い等を異ならせたタイアップページ例をクライアントに提示しながら、タイアップページに関する商談を進めることが出来るものとなっている。また、支援装置１０は、タイアップページを各種媒体に掲載する場合にかかる費用をクライアントに即座に提示できる装置であると共に、タイアップページの作成（制作）に必要とされる人員も即座に確保できる装置となっている。
【００７７】
従って、この支援装置１０を用いておけば、打合せのためにクライアントの元に何度も出向かなくても、作成するタイアップページの内容等を確定させることが出来ることになる。
【００７８】
《変形形態》
上記した支援装置１０は、各種の変形を行うことが出来る。例えば、支援装置１０を、インターネットに接続せずに使用できる装置（ラップトップコンピュータ等に、各種データベースや、上記処理を行うプログラムをインストールした装置）に変形することが出来る。
【００７９】
また、支援装置１０を、タイアップページのコンテンツパーツ構成と、タイアップページの雰囲気（各部の色）とを、別々に指定できる装置に変形しておくことも出来る。さらに、各画面や各データベースとして上記したものとは異なる構成を有するものを採用しても良いことは、当然のことである。
【符号の説明】
【００８０】
１０  費用算出装置
１１  基本テンプレートＤＢ
１２  ページ雛形作成ＤＢ
１３  コンテンツパーツＤＢ
１４  広告媒体ＤＢ
１５  企業ＤＢ
１６  制作スタッフＤＢ
【図１】
2012079041.tif 000003
【図２】
2012079041.tif 000004
【図３】
2012079041.tif 000005
【図４】
2012079041.tif 000006
【図５】
2012079041.tif 000007
【図６】
2012079041.tif 000008
【図７】
2012079041.tif 000009
【図８】
2012079041.tif 000010
【図９】
2012079041.tif 000011
【図１０】
2012079041.tif 000012
【図１１】
2012079041.tif 000013
【図１２】
2012079041.tif 000014
【図１３】
2012079041.tif 000015
【図１４】
2012079041.tif 000016
【図１５】
2012079041.tif 000017
【図１６】
2012079041.tif 000018
【図１７】
2012079041.tif 000019
【図１８】
2012079041.tif 000020
【図１９】
2012079041.tif 000021
【図２０】
2012079041.tif 000022
【図２１】
2012079041.tif 000023